(57)【要約】【課題】  水平な長尺の部材（たとえば鴨居２）によって垂直姿勢に支承されるとともにＸ軸方向の摺動を案内される板状部材（たとえば引戸１）の手動操作を緩衝しかつ付勢する技術を提供する。【解決手段】  Ｘ軸方向に案内されるスライダ６に固着されたラック歯車７にピニオン歯車９を噛合させるとともに、テンションスプリング８によって図の右方に付勢する。上記ピニオン歯車９に一方向ダンパ１０を取り付ける。前記ラック歯車７に固定された枢支軸１１によってキャッチフック１２を首振り回動自在に枢着し、該キャッチフック１２の切欠溝１３に対応させて係合ピン１４を鴨居２に固着する。上記キャッチフック１２に設けられた係止ピン１５は、該キャッチフック１２の首振り回動に伴って、ベース部材４の係止縁１６に対して係合・離脱する。【選択図】  図１
2006194051.tif 000002
【特許請求の範囲】
【請求項１】
（ｉ）  Ｚ軸を垂直軸とする直交３軸Ｘ，Ｙ，Ｚを想定し、
Ｘ−Ｚ面に沿った垂直姿勢を保ちつつ、主として手動操作でＸ軸方向に往復駆動される板状の部材（１）と、
上記板状部材を支承しつつ、該板状部材（１）のＸ軸方向の摺動を案内する、下方に向けて凹なる溝を有するＸ軸方向に長尺の部材（２）と、
上記長尺の部材を支持するとともに、前記板状部材（１）のＸ軸方向摺動ストロークの片方の端を制限するストッパとして機能する垂直な柱状部材（３）とが設けられており、
前記板状部材を柱状部材に向けて付勢するテンションスプリング（８）の一端が前記板状部材に取り付けられていて、
（ii）  前記板状部材（１）が柱状部材（３）から離れる方向に摺動して両者の間隔が所定の寸法Ｄに達したとき、前記テンションスプリング（８）の他端を前記板状部材（１）に係着し、
近づく方向に摺動して両者の間隔が所定の寸法Ｄを越えたとき、前記テンションスプリングの他端を前記板状部材（１）から切り放す手段を備えており、
(iii)  前記板状部材（１）が柱状部材（３）に近づく方向に摺動して両者の間隔が所定の寸法Ｄに達したとき、前記テンションスプリング（８）の他端を前記長尺部材（２）
に係着し、
離れる方向に摺動して両者の間隔が所定の寸法Ｄを越えたとき、前記テンションスプリング（８）の他端を前記長尺部材（２）から切り放す手段を備えており、
(iv)  前記板状部材（１）の定位置に取り付けられた機器であって、該板状部材（１）が柱状部材（３）に近づく方向に摺動して両者の間隔が所定の寸法Ｄに達したとき、この接近方向の摺動に抵抗を与え、かつ離間方向の摺動に対しては別段の抵抗を与えないダンパを具備していることを特徴とする緩衝付勢装置。
【請求項２】
前記の長尺部材（２）は建具としての鴨居（２）であり、柱状部材（３）は建具としての柱（３）であり、板状部材（１）は建具としての引戸（１）であることを特徴とする、請求項１に記載した緩衝付勢装置。
【請求項３】
前記引鴨居（２）に、Ｙ軸方向の係合ピン（１４）が固着されるとともに、
前記テンションスプリング（８）の他端側に「Ｙ軸方向の枢支軸（１１）で枢支され、切欠溝（１３）を設けられたキャッチフック（１２）」が設けられていて、
該キャッチフック（１２）が係合ピン（１４）に向かって接近・当接して、切欠溝（１３）が係合ピン（１４）に係合することによって、前記第（iii）項の「テンションスプリング（８）の他端を前記長尺部材（鴨居２）に係着する」機能が果たされ、
該キャッチフック（１２）が係合ピン（１４）から離間して係止を解放されることによって、同第（iii）項の「テンションスプリング（８）の他端を前記長尺部材（鴨居２）から切り放す」機能が果たされるようになっていることを特徴とする、請求項２に記載した緩衝付勢装置。
【請求項４】
前記キャッチフック（１２）に、Ｙ軸方向の係止ピン（１５）が設けられるとともに、
前記の引戸（１）に「上記係止ピン（１５）の往復傾動に伴って係脱する形状の係止部材（係止縁１６）」が固定されていて、
該キャッチフック（１２）の傾動によって前記(iii)項の「テンションスプリング（８）の他端を前記長尺部材（鴨居２）から切り放す」作動が行われるとき、これと同時に上記の係止ピン（１５）が係止部材（係止縁１６）に係合して、前記(ii)項のテンションスプリング（８）の他端が前記板状部材（引戸１）に係着する」機能が果たされ、
該キャッチフック（１２）の傾動によって前記(iii)項の「テンションスプリング（８）の他端を前記長尺部材（鴨居２）に係着する」作動が行われるとき、これと同時に上記の係止ピン（１５）が係止部材（係止縁１６）から離脱して、前記(ii)項の「テンションスプリングの他端を前記板状部材（１）から切り放す」作動が行われるようになっていることを特徴とする、請求項３に記載した緩衝付勢装置。
【請求項５】
前記(iv)項のダンパは、回転型の一方向ダンパ１０であり、
相対的に回転する二つの部材の中で、片方の部材が前記板状部材（引戸１）に固定されるとともに、他方の部材にピニオン歯車（９）が取り付けられていて、
前記キャッチフック（１２）の枢支軸（１１）とテンションスプリング（８）との間に介装接続されたラック歯車（７）が、上記ピニオン歯車（９）と噛合していることを特徴とする、請求項３に記載した緩衝付勢装置。         
【請求項６】
前記の、板状部材を柱状部材に向けて付勢するための部材であるテンションスプリング（８）に代えて、
「前記ラック歯車（７）に噛合しているピニオン歯車（９）に対して回転力を付勢する渦巻スプリング（１７）」が設けられていることを特徴とする、請求項５に記載した緩衝付勢装置。
【請求項７】
Ｚ軸を垂直軸とする直交３軸Ｘ，Ｙ，Ｚを想定し、
「下方に向けて凹なる溝を有するＸ軸方向に長尺の部材（２）により、主として手動操作でＸ軸方向に往復駆動される垂直な板状の部材（１）」が、該板状部材のストッパとして機能する垂直な柱状部材（３）に対して激突することを防止するとともに、該垂直な柱状部材（３）に対して密着せしめる方法において、
予め、Ｙ軸方向の枢支軸（１１）によって首振り回動自在に支承されたキャッチフック（１２）と、
上記枢支軸（１１）を支持してＸ軸方向に案内されるスライダ（６）、及び該スライダに形成されたラック歯車（７）と、
「一端を板状部材（１）に、他端を上記スライダ（６）に、それぞれ取り付けられたテンションスプリング（８）」と、を設けておき、
（ａ）垂直板状部材（１）が垂直柱状部材（３）に当接している状態から長尺部材（２）に沿わせてＸ軸方向に摺動させて引き離すときは、
前記長尺部材（２）に設けたＹ軸方向の係合ピン（１４）にキャッチフック（１２）を係合させて、前記テンションスプリング（８）を引き伸ばし、
柱状部材と板状部材との間隔が所定の寸法Ｄに達した所で、キャッチフック（１２）と係合ピン（１４）との係合を解除するとともに、該キャッチフックを板状部材（１）に形成された係合部分（係止縁１６）に係合させてテンションスプリングの収縮を阻止した状態に保持し、板状部材がテンションスプリングのＸ軸方向の付勢力で駆動されないフリーの状態ならしめ、
（ｂ）垂直板状部材（１）が垂直柱状部材（３）から離れたフリー状態から柱状部材に接近・当接させるときは、
柱状部材と板状部材との間隔が所定の寸法Ｄまで縮まったとき、キャッチフック（１２）と係合ピン（１４）とを係合させるとともに、該キャッチフックと前記係合部分（係止縁１６）との係合を離脱させてテンションスプリング（８）の収縮阻止を解除し、
該テンションスプリングの収縮力で間隔寸法Ｄをゼロならしめ、
かつ、上記間隔寸法をＤからゼロならしめるまでの間、前記ラック歯車（７）に噛合させたピニオン歯車（９）の回転を一方向ダンパ（１０）で制動して緩衝することを特徴とする緩衝付勢方法。
【発明の詳細な説明】
【技術分野】
【０００１】
本発明は、例えば引戸のように、水平な長尺の部材によって垂直姿勢に支持されながら水平方向に摺動せしめられる部材を、自動的に締め切り作動させるとともに、締切りの衝撃を緩和する技術に関するものである。
【背景技術】
【０００２】
扉状部材の緩衝付勢装置として、回転式ドア用のものは技術的にほぼ完成して広く一般に用いられている。
これに比して、例えば引戸のように平行移動する扉状部材の緩衝付勢装置は未だ普及していない。
引戸の緩衝付勢装置が回転ドアの緩衝付勢装置に比して技術的に困難な理由は奥深い。その根源は、回転ドアの属する洋風の生活様式と、引戸の属する和風の生活様式との相違に由来する。
例えば洋風の寝具はベッドの上に置きっ放しであるのに比して和風の布団は毎朝畳んで押入れに仕舞われる。
同様に、床板は根太に打ちつけられ、回転ドアは柱に取付けっ放しであるが、和室では畳を上げ襖を外して大掃除が行なわれる。
従って、回転ドアの緩衝付勢装置は取付けっ放しで良いから技術的に易しいのに比し、引戸は敷居・鴨居から外される場合に対応しなければならないので、桁違いに難しい。
【０００３】
建具ではないが、家具可動部分用緩衝装置（特開２００２−２４２９７８号公報）が提案されている。
この公知技術においては、その公報の図２に示されているように溝孔を設けてピニオンとラックとを噛合・離脱させたり、回転式ダンパを保持具に接触させて摩擦制動したりしているが、
家具としての抽斗用の装置であって、建具としての引戸には適用できない。特に、ピニオンとラックとを噛合・離脱させたり、回転式ダンパを保持具に接触させて摩擦制動したりするので耐久性に問題が有り、摩擦部分に油がつくと制動作用が失われるので作動信頼性が低い。
【特許文献１】特開２００２−２４２９７８号公報
【発明の開示】
【発明が解決しようとする課題】
【０００４】
本発明は上述の事情に鑑みて為されたものであって、その目的とする処は、
水平な長尺の部材（例えば鴨居）に案内されて摺動する垂直な板状部材（例えば引戸）に適用され、かつ、垂直な板状部材を水平な長尺の部材から取り外すことを妨げない、実用的な緩衝付勢装置を提供するにある。
【課題を解決するための手段】
【０００５】
請求項１に係る発明装置の構成は、（図１参照）
（ｉ）  Ｚ軸を垂直軸とする直交３軸Ｘ，Ｙ，Ｚを想定し、
Ｘ−Ｚ面に沿った垂直姿勢を保ちつつ、主として手動操作でＸ軸方向に往復駆動される板状の部材（１）と、
上記板状部材を支承しつつ、該板状部材（１）のＸ軸方向の摺動を案内する、下方に向けて凹なる溝を有するＸ軸方向に長尺の部材（２）と、
上記長尺の部材を支持するとともに、前記板状部材（１）のＸ軸方向摺動ストロークの片方の端を制限するストッパとして機能する垂直な柱状部材（３）とが設けられており、
前記板状部材を柱状部材に向けて付勢するテンションスプリング（８）の一端が前記板状部材に取り付けられていて、
（ii）  前記板状部材（１）が柱状部材（３）から離れる方向に摺動して両者の間隔が所定の寸法Ｄに達したとき、前記テンションスプリング（８）の他端を前記板状部材（１）に係着し、
近づく方向に摺動して両者の間隔が所定の寸法Ｄを越えたとき、前記テンションスプリングの他端を前記板状部材（１）から切り放す手段を備えており、
(iii)  前記板状部材（１）が柱状部材（３）に近づく方向に摺動して両者の間隔が所定の寸法Ｄに達したとき、前記テンションスプリング（８）の他端を前記長尺部材（２）
に係着し、
離れる方向に摺動して両者の間隔が所定の寸法Ｄを越えたとき、前記テンションスプリング（８）の他端を前記長尺部材（２）から切り放す手段を備えており、
(iv)  前記板状部材（１）の定位置に取り付けられた機器であって、該板状部材（１）が柱状部材（３）に近づく方向に摺動して両者の間隔が所定の寸法Ｄに達したとき、この接近方向の摺動に抵抗を与え、かつ離間方向の摺動に対しては別段の抵抗を与えないダンパを具備していることを特徴とする。
【０００６】
以上に説明した請求項１の発明装置によると、板状部材と柱状部材との間隔が所定寸法以上に開いているときはテンションスプリングが作用せず、板状部材ガフリーの状態となり、手動操作に影響を与えないのみでなく、該板状部材を長尺の支承・案内部材から取り外すことも任意に行なうことができる。
その上、板状部材を手動操作で所定箇所まで近づけると、手を放しても柱状部材に当接するまで自動的に動かされる。
しかも、乱暴に手動操作しても板状部材が柱状部材に激突しないように緩衝される。この緩衝作用は柱状部材に近づけるときだけ働き、手動操作で柱状部材から離す場合には抵抗力を及ぼさない。
【０００７】
請求項２に係る発明装置の構成は、前記請求項１の発明装置の構成要件に加えて、（図１参照）前記の長尺部材（２）は建具としての鴨居（２）であり、柱状部材（３）は建具としての柱（３）であり、板状部材（１）は建具としての引戸（１）であることを特徴とする。
【０００８】
以上に説明した請求項２の発明によると、請求項１に係る発明装置を建具に適用して、その効果を十分に発揮させることができる。                    
【０００９】
請求項３に係る発明装置の構成は、前記請求項２の発明装置の構成要件に加えて、（図３参照）、
前記引鴨居（２）に、Ｙ軸方向の係合ピン（１４）が固着されるとともに、
前記テンションスプリング（８）の他端側に「Ｙ軸方向の枢支軸（１１）で枢支され、切欠溝（１３）を設けられたキャッチフック（１２）」が設けられていて、
該キャッチフック（１２）が係合ピン（１４）に向かって接近・当接して、切欠溝（１３）が係合ピン（１４）に係合することによって、前記第（iii）項の「テンションスプリング（８）の他端を前記長尺部材（鴨居２）に係着する」機能が果たされ、
該キャッチフック（１２）が係合ピン（１４）から離間して係止を解放されることによって、同第（iii）項の「テンションスプリング（８）の他端を前記長尺部材（鴨居２）から切り放す」機能が果たされるようになっていることを特徴とする。
【００１０】
以上に説明した請求項３の発明装置によると、切欠溝と枢支軸とを備えたキャッチフック、及び長尺部材（鴨居）に固定された係合ピンという簡単な構成で、「一端を板状部材に取り付けられたテンションスプリングの他端」を長尺部材（鴨居）に対して自動的に、かつ確実に係着・離脱作動させるとができる。
【００１１】
請求項４に係る発明装置の構成は、前記請求項３の発明装置の構成要件に加えて、（図３参照）
前記キャッチフック（１２）に、Ｙ軸方向の係止ピン（１５）が設けられるとともに、
前記の引戸（１）に「上記係止ピン（１５）の往復傾動に伴って係脱する形状の係止部材（係止縁１６）」が固定されていて、
該キャッチフック（１２）の傾動によって前記(iii)項の「テンションスプリング（８）の他端を前記長尺部材（鴨居２）から切り放す」作動が行われるとき、これと同時に上記の係止ピン（１５）が係止部材（係止縁１６）に係合して、前記(ii)項のテンションスプリング（８）の他端が前記板状部材（引戸１）に係着する」機能が果たされ、
該キャッチフック（１２）の傾動によって前記(iii)項の「テンションスプリング（８）の他端を前記長尺部材（鴨居２）に係着する」作動が行われるとき、これと同時に上記の係止ピン（１５）が係止部材（係止縁１６）から離脱して、前記(ii)項の「テンションスプリングの他端を前記板状部材（１）から切り放す」作動が行われるようになっていることを特徴とする。
【００１２】
以上に説明した請求項４の発明装置を前記請求項３の発明装置に併用すると、キャッチフックに係止ピンを設けるとともに板状部材に係止部材（係止縁）を設けるという簡単な構成で、「水平な長尺部材（鴨居）に対するテンションスプリングの係脱作動」に連動させて、該テンションスプリングの板状部材に対する係脱作動」を自動的にかつ確実に行なわせることができる。        
【００１３】
請求項５に係る発明装置の構成は、前記請求項３の発明装置の構成要件に加えて、（図１参照）前記のダンパが、回転型の一方向ダンパ１０であり、
相対的に回転する二つの部材の中で、片方の部材が前記板状部材（引戸１）に固定されるとともに、他方の部材にピニオン歯車（９）が取り付けられていて、
前記キャッチフック（１２）の枢支軸（１１）とテンションスプリング（８）との間に介装接続されたラック歯車（７）が、上記ピニオン歯車（９）と噛合していることを特徴とする。
【００１４】
以上に説明した請求項５の発明装置によると、引戸を閉める場合にのみダンパの制動力が作用し、開く場合には作用しない。すなわち、公知の先行技術におけるがごとくピニオンとラックとを噛合・離脱させたり、ダンパを保持部材に接触・離間させたりすることなく、確実に１方向緩衝作動を行わせることができる。
【００１５】
請求項６に係る発明装置の構成は、前記請求項５の発明装置の構成要件に加えて、（図４参照）前記の「板状部材を柱状部材に向けて付勢するための部材であるテンションスプリング（８）」に代えて、
「前記ラック歯車（７）に噛合しているピニオン歯車（９）に対して回転力を付勢する渦巻スプリング（１７）」が設けられていることを特徴とする。
【００１６】
以上に説明した請求項６の発明装置によっても、前記請求項５におけると同様の作用効果が得られ、当該緩衝付勢装置のＸ軸方向の外形寸法を短縮することができる上に、スプリング部材に対する潤滑保持が容易である。
【００１７】
請求項７に係る発明方法の構成は、（図１参照）Ｚ軸を垂直軸とする直交３軸Ｘ，Ｙ，Ｚを想定し、
「下方に向けて凹なる溝を有するＸ軸方向に長尺の部材（２）により、主として手動操作でＸ軸方向に往復駆動される垂直な板状の部材（１）」が、該板状部材のストッパとして機能する垂直な柱状部材（３）に対して激突することを防止するとともに、該垂直な柱状部材（３）に対して密着せしめる方法において、
予め、Ｙ軸方向の枢支軸（１１）によって首振り回動自在に支承されたキャッチフック（１２）と、
上記枢支軸（１１）を支持してＸ軸方向に案内されるスライダ（６）、及び該スライダに形成されたラック歯車（７）と、
「一端を板状部材（１）に、他端を上記スライダ（６）に、それぞれ取り付けられたテンションスプリング（８）」と、を設けておき、
（ａ）垂直板状部材（１）が垂直柱状部材（３）に当接している状態から長尺部材（２）に沿わせてＸ軸方向に摺動させて引き離すときは、
前記長尺部材（２）に設けたＹ軸方向の係合ピン（１４）にキャッチフック（１２）を係合させて、前記テンションスプリング（８）を引き伸ばし、
柱状部材と板状部材との間隔が所定の寸法Ｄに達した所で、キャッチフック（１２）と係合ピン（１４）との係合を解除するとともに、該キャッチフックを板状部材（１）に形成された係合部分（係止縁１６）に係合させてテンションスプリングの収縮を阻止した状態に保持し、板状部材がテンションスプリングのＸ軸方向の付勢力で駆動されないフリーの状態ならしめ、
（ｂ）垂直板状部材（１）が垂直柱状部材（３）から離れたフリー状態から柱状部材に接近・当接させるときは、
柱状部材と板状部材との間隔が所定の寸法Ｄまで縮まったとき、キャッチフック（１２）と係合ピン（１４）とを係合させるとともに、該キャッチフックと前記係合部分（係止縁１６）との係合を離脱させてテンションスプリング（８）の収縮阻止を解除し、
該テンションスプリングの収縮力で間隔寸法Ｄをゼロならしめ、
かつ、上記間隔寸法をＤからゼロならしめるまでの間、前記ラック歯車（７）に噛合させたピニオン歯車（９）の回転を一方向ダンパ（１０）で制動して緩衝することを特徴とする。
【００１８】
以上に説明した請求項７の発明装置を適用すると、板状部材が柱状部材から引離されるとき（引戸を開かれるとき）、テンションスプリングに弾性変形エネルギーが蓄えられ、板状部材が柱状部材から離れている間（引戸が開かれている間）エネルギーが保持され、
板状部材が柱状部材に近づけられるとき（引戸が閉じられるとき）、この弾性変形エネルギーが放出されて、板状部材が柱状部材に密着せしめられる（引戸が閉じ切られる）。
この弾性変形エネルギーの放出による効果として、手動操作力の軽減もさることながら自動的に板状部材を柱状部材に密着せしめて（引戸を閉じ切って）隙間を残さないことが重要である。
その上、緩衝作用が働くので、この緩衝効果と上記閉じ切り効果とが相俟って「手動操作力が弱すぎても隙間を残さず、手動操作力が強すぎても激突させない」という実用的で貴重な効果を奏する。
【発明の効果】
【００１９】
請求項１の発明装置によると、板状部材と柱状部材との間隔が所定寸法以上に開いているときはテンションスプリングが作用せず、板状部材ガフリーの状態となり、手動操作に影響を与えないのみでなく、該板状部材を長尺の支承・案内部材から取り外すことも任意に行なうことができる。
その上、板状部材を手動操作で所定箇所まで近づけると、手を放しても柱状部材に当接するまで自動的に動かされる。
しかも、乱暴に手動操作しても板状部材が柱状部材に激突しないように緩衝される。この緩衝作用は柱状部材に近づけるときだけ働き、手動操作で柱状部材から離す場合には抵抗力を及ぼさない。
【００２０】
請求項２の発明によると、請求項１に係る発明装置を建具に適用して、その効果を十分に発揮させることができる。
【００２１】
請求項３の発明装置によると、切欠溝と枢支軸とを備えたキャッチフック、及び長尺部材（鴨居）に固定された係合ピンという簡単な構成で、「一端を板状部材に取り付けられたテンションスプリングの他端」を長尺部材（鴨居）に対して自動的に、かつ確実に係着・離脱作動させるとができる。  
【００２２】
請求項４の発明装置を前記請求項３の発明装置に併用すると、「キャッチフックに係止ピンを設けるとともに板状部材に係止部材（係止縁）を設ける」という簡単な構成で、「水平な長尺部材（鴨居）に対するテンションスプリングの係脱作動」に連動させて、該テンションスプリングの板状部材に対する係脱作動」を自動的にかつ確実に行なわせることができる。  
【００２３】
請求項５の発明装置によると、引戸を閉める場合にのみダンパの制動力が作用し、開く場合には作用しない。すなわち、公知の先行技術におけるがごとくピニオンとラックとを噛合・離脱させたり、ダンパを保持部材に接触・離間させたりすることなく、確実に１方向緩衝作動を行わせることができる。        
【００２４】
請求項６の発明装置によっても、前記請求項５におけると同様の作用効果が得られ、当該緩衝付勢装置のＸ軸方向の外形寸法を短縮することができる上に、スプリング部材に対する潤滑保持が容易である。
【００２５】
請求項７の発明装置を適用すると、板状部材が柱状部材から引離されるとき（引戸を開かれるとき）、テンションスプリングに弾性変形エネルギーが蓄えられ、板状部材が柱状部材から離れている間（引戸が開かれている間）エネルギーが保持され、
板状部材が柱状部材に近づけられるとき（引戸が閉じられるとき）、この弾性変形エネルギーが放出されて、板状部材が柱状部材に密着せしめられる（引戸が閉じ切られる）。
この弾性変形エネルギーの放出による効果として、手動操作力の軽減もさることながら自動的に板状部材を柱状部材に密着せしめて（引戸を閉じ切って）隙間を残さないことが重要である。
【発明を実施するための最良の形態】
【００２６】
図１は、本発明に係る緩衝付勢方法を実施するために構成した緩衝付勢装置の１実施形態における要部を抽出して描いた模式的な外観正面図に直交座標軸および寸法記号を付記した図である。
符号１を付して示したのは、垂直な板状部材としての引戸であり、
符号２は、上記引戸を垂直姿勢に支承しつつＸ軸方向の摺動を案内する長尺の部材としての鴨居であり、
符号３は、前記引戸１の摺動ストロークを制限するストッパとして機能する柱状部材としての柱である。
【００２７】
符号４を付して示したのは本発明装置のベース部材であって、Ｘ軸方向のスライドレール５を固着されている。
上記スライドレールによってスライダ６がＸ軸方向の摺動自在に案内されており、このスライダにラック歯車７が固着されている。
上記のスライダ６及びこれに固着されたラック歯車７は、テンションスプリング８によってＸ軸方向に、図の右方すなわち柱３から離れる方向に付勢されている。
【００２８】
前記ラック歯車７に噛合するピニオン歯車９は、ベース部材４に軸支されるとともに一方向ダンパ１０を取り付けられている。これにより、ピニオン歯車９はベース部材４に対して低位置にあり、かつ、ラック歯車７が図の左方すなわち柱３に近づく方向の動きに抵抗を与えてダンパ機能を発揮するようになっている。
本発明を実施する場合、特開平１１−１３２２７６号公報に記載されている一方向ダンパを利用すると好適である。この一方向ダンパを適用すれば、前記公知の「家具可動部分用緩衝装置」（特開２００２−２４２９７８号公報）におけるがごとくピニオンとラックとを噛合させたり離脱させたりする必要無く、引戸を閉めるときにのみダンパ機能を発揮させて、該引戸を開くときに抵抗を及ぼさせないことができる。
【００２９】
前記スライダ６に、枢支軸１１が固着されている（ラック歯車７に固着してもよい）。
この枢支軸１１によりキャッチフック１２が、首振り状の回動自在に枢支されている。
本発明においてキャッチフックとは、「α．相手部材と衝突すると、該相手部材と係合し、β．その係合状態を保持する機能を有していて、γ．予め定められた条件が満たされたとき係合が解除される器具」をいう。
本例のキャッチフック１２について「衝突を受けて係合する相手部材」は、鴨居２に取り付けられたＹ軸方向の係合ピン１４であり、これに係合するための切欠溝１３が形成されている。
【００３０】
上記係合ピン１４の配設位置は次のように定められている。
図示の状態から引戸１が左方に（閉める方向に）動かされて、該引戸と柱３との間隔寸法Ｄが所定の値（本例では１０センチメートル）になったとき、キャッチフック切欠溝１３の縁が係合ピン１４に当接する。
また、係合状態を保持するための機構として、Ｙ軸方向の係止ピン１５を取り付けられるとともに、これに対応して前記ベース部材４に係止縁１６が形成されている。
上記係止縁１６は、枢支軸１１を中心とする仮想の円ｓに沿った形状になっている。これらの部材によって構成されている係合状態保持機構の詳細については、図２および図３を参照して後に説明する。
【００３１】
図２は、キャッチフックの構造，機能を説明するために示したものであって、（Ａ）は相手部材である係合ピンと係合する作動を描いた模式的な正面図、（Ｂ）は相手部材との係合を解除する作動を描いた模式的な正面図、（Ｃ）はＸ軸方向のスライドを係止された状態を描いた模式的な正面図、（Ｄ）はＸ軸方向のスライド係止を解除された状態を描いた模式的な正面図である。 
キャッチフックとは、先に述べたように、
α．相手部材と衝突すると、該相手部材と係合し、
β．その係合状態を保持する機能を有していて、
γ．予め定められた条件が満たされたとき係合が解除される器具である。
本例のキャッチフックは、これらα，β，γの三機能を複合して発揮するようになっているので、説明の便宜上、「キャッチフック１２と係合ピン１４との相互作用」及び「キャッチフック１２と係止縁１６との相互作用］に区分して次に述べる。
【００３２】
（図２（Ａ）参照）、実線で描かれているキャッチフック１２は係合ピン１４をキャッチした状態であり、該係合ピン１４をリリースした状態を鎖線で付記してある。なお、係合ピン１４は静止部材であるが、理解し易いように、該係合ピン１４がキャッチフック１２に対して相対的に接近するように描き表してある。
キャッチフック１２が矢印ｃのように移動して、鎖線の係合ピン１４が矢印ｃ′のように鎖線キャッチフック１２に衝突すると、該キャッチフック１２は矢印ｒのように首振り回動して実線の姿勢となり、係合ピン１４（実線）をキャッチする。
【００３３】
（図２（Ｂ）参照）、鎖線で描かれているキャッチフック１２は係合ピン１４（鎖線）をキャッチした状態である。この状態からキャッチフック１２が矢印ｏ方向に移動して、
係合ピン１４が相対的に矢印ｏ′のように動くと、キャッチフック１２は矢印ｌのように
首振り回動して実線の姿勢となり、係合ピン１４（実線）を放出する。
係合ピン１４は鴨居（図１における符号２の部材）に固定されているので、本図２（Ａ）のキャッチ状態ではキャッチフック１２が鴨居２に対して左右方向に動けないように拘束されている。
本図２（Ｂ）のリリース状態では、キャッチフック１２が鴨居２に対して左右方向に動くことができる。
【００３４】
キャッチフック１２が矢印ｌ方向に回動して図２（Ｂ）の実線姿勢になると、このキャッチフックに取り付けられた係止ピン１５と係止縁（図１における符号１６の構成部分）との関係は図２（Ｃ）のようになる。
すなわち、係止ピン１５が係止縁１６に係合して、キャッチフック１２がスライダ６と共に図の右方へ移動しないように係止されている。
また、キャッチフック１２が図２（Ａ）のキャッチ姿勢になると、係止ピン１５は図２（Ｄ）のように係止縁１６から外れ、キャッチフック１２の右方への移動係止が解除される。この（Ｄ）図の状態で、キャッチフック１２は左方へ移動できるが、矢印ｌのように左回り（反対時計方向）の回動が阻止されていることに御留意願いたい（詳細は図３を参照して後述する）。
【００３５】
図３は、前掲の図１に示した実施形態の作動を説明するための図であって、（Ａ）は引戸が開かれて緩衝機能も付勢機能も発現されない状態を描いた模式的な要部正面図、（Ｃ）は引戸がほぼ閉じられて緩衝機能や付勢機能が発現されている状態を描いた模式的な要部正面図、（Ｂ）は前記双方の状態が可逆的に切り換えられている状態を描いた模式的な要部正面図である。
次に、主として本図３を参照しつつ前記の図２で述べたことを振り返りながら本実施形態の作用効果を説明する。
【００３６】
（図３（Ａ）参照）、引戸１は図の右方に引かれて大きく開かれており、キャッチフック１２は左回り（反時計方向）に首振り回動している。すなわち、係合ピン１４に対する関係では図２（Ｂ）のリリース状態、係止ピン１５に関する状態では図２（Ｃ）の係止状態になっている。このため、テンションスプリング８は引き伸ばされた状態に保持され、本発明を適用して設けた部材はその機能を休止している。
すなわち、図示の状態から引戸１が左に動かされてキャッチフック１２が１４に衝突するまでは、該引戸１は格別の作用力を受けることなく自由に動かせる。
【００３７】
上記の状態から引戸１が左方に動かされ、キャッチフック１２が係合ピン１４に衝突してこれをキャッチすると図３（Ｂ）のように該キャッチフックが右回り（時計方向）に首振り回動する。
これにより、係合ピン１４との関係では図２（Ａ）のキャッチ状態となり、係止ピン１５が係止縁１６から外れる。
図３（Ａ）では引き伸ばされた侭で縮めなかったテンションスプリング８は、図３（Ｂ）のように係止ピン１５が外されると収縮し始める。
【００３８】
この（Ｂ）図の状態を考察すると、
テンションスプリング８の片方の端が引戸１に対して取付けられ、他方の端はスライダ６、キャッチフック１２、および係合ピン１４を介して、鴨居２に取付けられている。
このため、引き伸ばされていたテンションスプリング８が縮むと、引戸１が図の左方に駆動され、本図３（Ｃ）のように引戸１が閉め切られる。この場合、テンションスプリング８の付勢力が利いているから、引戸と柱３との間に隙間を残さない。
図３（Ｂ）から（Ｃ）までの間において、係止ピン１５は係止縁１６から外れて、ベース部材４のＸ軸方向の上縁１８で案内されている。（Ｃ）図から容易に理解されるように、この状態でキャッチフック１２は左回り（反時計方向）に回動することができない。
【００３９】
前記の段落００３８で考察したのは、引戸１が手動操作で比較的ていねいに閉められる場合であるが、もし乱暴に強い力で閉められたときは、本図３（Ｂ）から同（Ｃ）までの間に、次のようにして緩衝作用が発揮される。
キャッチフック１２は鴨居２に対して左右方向の相対的な移動を係止されているので、これに伴い、ラック歯車７も鴨居２に対して左右に動けない。
このため、ラック歯車７が引戸１にたいして相対的に右へ（スライダ６と共に、スライドレールに案内されて）スライドし、ピニオン歯車９を回す。このとき一方向ダンパ１０が抵抗を与えて緩衝機能を発揮する。
【００４０】
図３（Ｃ）に示したように引戸１を閉め切った状態から該引戸を開く場合は、前記と反対の工程で、（Ｂ）を経て（Ａ）の状態になるが、この場合には一方向ダンパ１０が開き動作に対して抵抗を与えない。
ただし手動操作者は、本発明装置が設けられていない場合に比して、テンションスプリング８を引き伸ばすための力だけ重く感じる。
図３（Ａ）の状態では、テンションスプリング８が引き伸ばされた侭になっている。すなわち、閉め切り付勢のためのエネルギーが保存されている。
これらの作用全体を考察すると、引戸を開くときに重いのは、力の無駄な損失を生じているのではなく、閉め切り作動に備えてエネルギーを蓄えているのであって、手動作操作のエネルギー効率は悪くない。
なお、本実施形態における係合ピン１４及び係止ピン１５は、いずれもＹ軸方向のピンであるが、以上に述べた作用効果から理解されるように、必ずしもピン形状であることには限定されず、機構学的にこれと等価な部材であっても本発明の技術的範囲に属するものである。
【００４１】
図４は、前掲の図１と異なる実施形態における模式的な正面図である。
図１と異なる点を抽出して要約すると次のとおりである。
図１におけるテンションスプリング８は、スライダ６およびラック歯車７を図の右方に付勢する役目を有していた。
図４においては、上記テンションスプリング８に代えて渦巻スプリング１７が設けられている。この渦巻スプリングはピニオン歯車９を図において左回り（反時計方向）に付勢している。このように構成しても図１におけると同様な作用効果が得られ、図から容易に理解されるように、当該緩衝付勢装置のＸ軸方向の外形寸法を短縮することができ、かつ、スプリング部材の潤滑保持が容易である。
【図面の簡単な説明】
【００４２】
【図１】本発明に係る緩衝付勢方法を実施するために構成した緩衝付勢装置の１実施形態における要部を抽出して描いた模式的な外観正面図に直交座標軸および寸法記号を付記した図。
【図２】キャッチフックの構造，機能を説明するために示したものであって、（Ａ）は相手部材である係合ピンと係合する作動を描いた模式的な正面図、（Ｂ）は相手部材との係合を解除する作動を描いた模式的な正面図、（Ｃ）はＸ軸方向のスライドを係止された状態を描いた模式的な正面図、（Ｄ）はＸ軸方向のスライド係止を解除された状態を描いた模式的な正面図。
【図３】前掲の図１に示した実施形態の作動を説明するための図であって、（Ａ）は引戸が開かれて緩衝機能も付勢機能も発現されない状態を描いた模式的な要部正面図、（Ｃ）は引戸がほぼ閉じられて緩衝機能や付勢機能が発現されている状態を描いた模式的な要部正面図、（Ｂ）は前記双方の状態が可逆的に切り換えられている状態を描いた模式的な要部正面図。
【図４】前掲の図１と異なる実施形態における模式的な正面図。
【符号の説明】
【００４３】
１…引戸（板状部材）
２…鴨居（水平な長尺の部材）
３…柱（垂直な、ストッパとして機能する柱状の部材）
４…緩衝付勢装置のベース部材
５…ベース部材に固着されたスライドレール
６…スライドレールに案内されるスライダ
７…スライダに固着されたラック歯車 
８…テンションスプリング 
９…ピニオン歯車 
１０…一方向ダンパ 
１１…キャッチフックの枢支軸 
１２…キャッチフック 
１３…キャッチフックの切欠溝 
１４…鴨居に固着された係合ピン 
１５…キャッチフックに設けられた係止ピン 
１６…ベース部材に形成された係止縁 
１７…渦巻スプリング 
１８…ベース部材のＸ軸方向の上縁 
ｓ…枢支軸を中心とする仮想の円弧 
Ｄ…柱と引戸との間の間隔寸法 
【図１】
2006194051.tif 000003
【図２】
2006194051.tif 000004
【図３】
2006194051.tif 000005
【図４】
2006194051.tif 000006